(57)【特許請求の範囲】
【請求項１】
発光手段が設けられる基台と、基台の上面側に取付けられる火袋吊り具と、基台の下面側に取付けられる支持脚と、火袋吊り具と基台との間に取付けられる火袋とを備えた提灯であって、
上記基台の上面側には火袋吊り具取付穴部が、また下面側には支持脚取付穴部がそれぞれ設けられており、
上記火袋吊り具の取付側には火袋吊り具取付突部が、また支持脚の取付側には支持脚取付突部がそれぞれ設けられており、
上記取付穴部のうち、少なくとも、支持脚取付穴部は、摩擦係数が小さくそしてバネ作用を有する高分子製押圧片を備えた凹状受具が嵌め込まれていることを特徴とする、
提灯。
【請求項２】
上記火袋吊り具取付突部及び／又は支持脚取付突部が摩擦係数が小さい高分子製凸状挿入具が被せられていることを特徴とする、
請求項１記載の提灯。
【請求項３】
上記凹状受具は、高分子製押圧片が側面に対してクリアランスを有し、開口部側がバネ作用をもってすぼまるように形成されていることを特徴とする、
請求項１又は２記載の提灯。
【請求項４】
上記基台と支持脚と火袋吊り具とが木製であることを特徴とする、
請求項１、２又は３記載の提灯。
【発明の詳細な説明】
【０００１】
【発明の属する技術分野】
本発明は提灯に関するものである。更に詳しくは、木製の基台、火袋吊り具、支持脚、及び火袋を備えた提灯において、基台への支持脚及び／又は火袋吊り具の取付けや取外しが容易である提灯に関するものである。
又、上記提灯において、基台への支持脚及び／又は火袋吊り具の取付けや取外し時に取付部が破損するのを防止することができる提灯に関するものである。
更に、上記提灯において、基台への支持脚及び／又は火袋吊り具の取付け後、その取付けを緊密な状態に維持することができる提灯に関するものである。
【０００２】
【従来の技術】
慶弔や祭礼等の儀式時に又祝賀の装飾のために種々の提灯が使用されている。
提灯には、落ち着いた雰囲気を出すために床等に置いて使用されるものが比較的多く見られる。
その代表的なものとして、蝋燭や電球等の発光手段が設けられる基台と、基台の上面側に取付けられる火袋吊り具と、基台の下面側に取付けられる支持脚と、火袋吊り具と基台との間に取付けられる火袋等とを備えたものがある。
【０００３】
上記基台の上面側には火袋吊り具取付穴部が及び下面側には支持脚取付穴部がそれぞれ設けられており、そして、火袋吊り具及び支持脚の取付側には火袋吊り具取付突部及び支持脚取付突部が設けられている。
【０００４】
提灯は、普通、慶弔や祭礼等の儀式時に又祝賀の装飾時に使用され、普段は、基台から火袋吊り具や支持脚等を取外して保管されている。
そして、使用時に、基台の上面側に設けられた火袋吊り具取付穴部に、火袋吊り具の取付側に設けられている取付突部を挿入し、そして、基台の下面側に設けられた支持脚取付穴部に、支持脚の取付側に設けられている取付突部を挿入し組立てられている。
【０００５】
上記のような構成からなる提灯（又は行灯）として、特開平８−８３５０４号公報や特開平８−２１２８０８号公報記載の行灯が知られている。
特開平８−８３５０４号公報記載の発明は、木製の基台に嵌合穴を形成し、前記嵌合穴に、木製の支持部材の先端に設けられたゴム等の弾性挿入部材を挿入し、基台に支持部材を取付けて、行灯が組立てられる。
そして、前記発明は支持部材を基台に取付けて易くし、又、取付け後支持部材ががたつくことないようにしようとするものである。
【０００６】
又、特開平８−２１２８０８号公報記載の発明は木製の基台の表裏両面間を貫通する取付孔が設けられ、前記取付孔には弾性取付部材が嵌め込まれている。そして、前記弾性取付部材には基台の表裏両面間を貫通する位置決め孔が設けられている。
上記取付孔に挿入される支持脚の上面には弾性挿入部材が設けられ、当該挿入部材の上側には左右両側に挟持片を有する挟持固定部材が回動自在に設けられている。
そして、取付孔に支持脚を挿入したとき、支持脚の上面に設けられている弾性挿入部材は位置決め孔を介して取付孔に動かないように正確に取付けられる。
又、そのとき、取付孔と支持脚の上面に設けられた挿入部材は、それぞれ弾性材が使用されているので互いに圧接し合い、そして、左右両側に挟持片を有する挟持固定部材を操作することにより、支持脚を基台にがたつかないように取付けることができる。
【０００７】
【発明が解決しようとする課題】
しかしながら、上記特開平８−８３５０４号公報記載の発明は、以下のような課題を有していた。
前記嵌合穴は、木製の基台に先ずドリル等で大まかに円形の穴が穿たれ、更に、角ノミを使用して所期の形状に形成される。このとき、嵌合穴の内面には細かな凹凸が形成される。そのため、嵌合穴にゴム等の弾性挿入部材を挿入したり取外したりするとき、前記凹凸が、嵌合穴の内面とゴム等の弾性挿入部材の外面との間の滑りを阻害し、弾性挿入部材の嵌合穴への挿入と取外しを困難にしていた。
【０００８】
しかも、挿入部材は弾性体であるので、本質的に摩擦係数が大きく、嵌合穴の内面と挿入部材の外面との間の滑りを更に阻害し、上記課題を益々大きくしていた。
そのため、上記のようなゴム等の弾性挿入部材の嵌合穴への挿入時や取外時に弾性挿入部材を捩じったり揺すったりすることが多く、その結果、弾性挿入部材は屡々破損していた。
その上、湿度や温度が変化したとき、木製の基台に形成された嵌合穴が木の膨張につれて内径が小さくなり、一方、ゴム等の弾性挿入部材は膨張して外径が大きくなり、上記課題を益々大きくしていた。
【０００９】
又、特開平８−２１２８０８号公報記載の発明は以下のような課題を有していた。
挿入部材と取付孔に嵌め込まれている取付部材とは弾性体もあるが、樹脂とあり可塑性プラスチックが想定される。そのため、本質的に摩擦係数が大きく、そのため滑りにくく、しかも上記挿入部材と取付部材の外面は全面で広く接触するので、益々滑りにくくなり、挿入部材の取付部材への挿入や取外が非常に困難であった。
又、上記挿入部材を取付部材に挿入し固定するときは、挿入部材の位置決め孔への挿入、挿入後の挟持片の操作等が複雑であり、特に高齢者等には使用が困難であった。
その上、上記挿入部材、位置決め孔及び挟持片等の構造も複雑であり、製造コストも複雑であった。
【００１０】
本発明は、上記課題を解決するもので、木製の基台、火袋吊り具、支持脚、及び火袋を備えた提灯において、基台への支持脚及び／又は火袋吊り具の取付けや取外しが容易である提灯を提供することを目的とする。
又、基台への支持脚及び／又は火袋吊り具の取付時や取外時に、取付部の破損を防止することができる提灯を提供することを目的とする。
更に、基台への支持脚及び／又は火袋吊り具の取付け後、その取付けを緊密な状態に維持することができる提灯を提供することを目的とする。
【００１１】
【課題を解決するための手段】
上記課題を解決するために講じた本発明の手段は次のとおりである。
第１の発明にあっては、
発光手段が設けられる基台と、基台の上面側に取付けられる火袋吊り具と、基台の下面側に取付けられる支持脚と、火袋吊り具と基台との間に取付けられる火袋とを備えた提灯であって、
上記基台の上面側には火袋吊り具取付穴部が、また下面側には支持脚取付穴部がそれぞれ設けられており、
上記火袋吊り具の取付側には火袋吊り具取付突部が、また支持脚の取付側には支持脚取付突部がそれぞれ設けられており、
上記取付穴部のうち、少なくとも、支持脚取付穴部は、摩擦係数が小さくそしてバネ作用を有する高分子製押圧片を備えた凹状受具が嵌め込まれていることを特徴とする、
提灯である。
【００１２】
第２の発明にあっては、
上記火袋吊り具取付突部及び／又は支持脚取付突部が摩擦係数が小さい高分子製凸状挿入具が被せられていることを特徴とする、
第１の発明に係る提灯である。
【００１３】
第３の発明にあっては、
上記凹状受具は、高分子製押圧片が側面に対してクリアランスを有し、開口部側がバネ作用をもってすぼまるように形成されていることを特徴とする、
第１又は第２の発明に係る提灯である。
【００１４】
第４の発明にあっては、
上記基台と支持脚と火袋吊り具とが木製であることを特徴とする、
第１、第２又は第３の発明に係る提灯である。
【００１５】
尚、上記基台はロクロ、支持脚は足、取付突部はホゾ、取付穴部はホゾ穴、火袋吊り具は柱ともいわれており、本明細書においても、それぞれを同義に用いられている。
【００１６】
上記摩擦係数が小さくバネ作用を有する高分子製押圧片の素材としては、ポリアミド、四ふっ化エチレン、ポリエチレン、ポリ塩化ビニル、ポリプロピレン、アクリロニトリルブタジエンスチレン共重合体等がよく使用される。
しかしながら、必ずしも上記素材に限定されるものではない。
【００１７】
（作  用）
本発明の提灯は、基台の上面側には火袋吊り具取付穴部が、また下面側には支持脚取付穴部がそれぞれ設けられており、そして、上記火袋吊り具の取付側には火袋吊り具取付突部が、また支持脚の取付側には支持脚取付突部がそれぞれ設けられている。
上記取付穴部のうち、少なくとも、支持脚取付穴部は、摩擦係数が小さくそしてバネ作用を有する高分子製押圧片を備えた凹状受具が嵌め込まれているので、上記取付穴部の内面と取付突部の外面とが滑り易くそして上記取付後凹状受具の内面が取付突部の外面を押圧しつつ抱持することができる。
従って、基台への支持脚及び／又は火袋吊り具の取付けや取外しを容易にすることができ、そして取付時や取外時に取付部、例えば取付突部などの破損を防止することができる。
更に、基台への支持脚及び／又は火袋吊り具の取付け後、その取付けを緊密な状態に維持することができる。
【００１８】
上記火袋吊り具取付突部及び／又は支持脚取付突部が摩擦係数が小さい高分子製凸状挿入具が被せられているものは、上記取付穴部の内面と取付突部の外面とが更に滑り易くなり、基台への支持脚及び／又は火袋吊り具の取付けや取外しを更に容易にすることができ、そして取付時や取外時に取付部の破損を更に確実に防止することができる。
【００１９】
上記凹状受具を構成している高分子製押圧片が側面に対してクリアランスを有し、開口部側がバネ作用をもってすぼまるように形成されているものは、基台への支持脚及び／又は火袋吊り具の取付時や取外時に凹状受具の内面と取付突部の外面とが点接触又は線接触を行う。
従って、凹状受具の内面と取付突部の外面での取付時や取外時の負担が小さく、基台への支持脚及び／又は火袋吊り具の取付けや取外しを更に容易にすることができ、又、取付時や取外時に取付部、例えば取付突部等の破損を更に確実に防止することができる。
又、当該取付突部や取付穴部が湿度や温度等の変化により、それぞれの寸法が変化しても、上記クリアランスが上記寸法の変化に順応でき、取付部、例えば取付突部等の破損を十分に防止することができる。又、取付突部に凸状挿入具が被せられていれば、前記破損は更に確実に防止することができる。
【００２０】
【発明の実施の形態】
本発明を図面に示した実施の形態に基づき更に詳細に説明する。
図１は本発明に係る提灯の斜視図である。
【００２１】
図中Ｌは提灯である。提灯Ｌは円盤状の基台１と当該基台１の上面側に取付けられる火袋吊り具２と基台１の下面側に取付けられる支持脚３と火袋５とを備えている。基台１には発光手段である電球４が着脱自在に設けられている。又、基台１の外周面下端部に沿ってフランジ１１が設けられている。
火袋吊り具２、２が基台１の上面側に取付けられた後、火袋吊り具２、２の上端を跨ぐようにして雲手２１が取付けられる。又、火袋吊り具２、２には、取付けられた雲手２１の少し下方に掛け具２２、２２が設けられている。
【００２２】
火袋５は二点鎖線（想像線）で示されており、上部に吊り紐５１、５１を有する上部外輪５２が設けられており、下部には下部外輪５３が設けられている。
上記吊り紐５１、５１は掛け具２２、２２に掛けられ、下部外輪５３はフランジ１１上に載置され、基台１の外周面に嵌め込まれている。火袋吊り具２、２の下端の外側面には押え具２３、２３が設けてあるので、上記下部外輪５３の上面を押え、下部外輪５３が基台１の外周面から外れるのを防止できる。
【００２３】
支持脚３、３、３が基台１の下面側に取付けられた後、支持脚３、３、３の内側には略三角形の補強部材６が配設され、支持脚３、３、３は互いに連結される。
尚、上記基台１、火袋吊り具２、雲手２１、支持脚３、補強部材６は全て木製である。
本発明は、基台１と火袋吊り具２の取付構造と、基台１と支持脚３の取付構造とを要旨とするが、前記二つの取付構造は同一であるので、前者の取付構造を便宜的に先ず例示する。
【００２４】
図２は基台と火袋吊り具との取付構造を示す斜視図である。図３は凸状挿入具の斜視図である。
火袋吊り具２、２の下面には火袋吊り具２、２を基台１に取付けるための火袋吊り具取付突部７、７が設けられている。火袋吊り具取付突部７は火袋吊り具２の下面に形成されている断面四角形の取付突部２４（図８参照）にポリプロピレン製の凸状挿入具７１、７１が被せられた構成よりなる。
凸状挿入具７１は中空で上面が開口されており、その上縁に張出部７１１を有する。取付突部７、７と凸状挿入具７１、７１は接着されて一体となっている。張出部７１１は接着を確実にするため又は釘着等をするために設けられている。
【００２５】
図４は凹状受具の斜視図である。図５は凹状受具の平面図である。図６は図５のＡ−Ａ線断面図である。
基台１の上面には基台１を火袋吊り具２、２に取付けるための火袋吊り具取付穴部８、８が設けられている（図２参照）。火袋吊り具取付穴部８はくりぬいて形成した断面四角形の嵌込穴１２（図８参照）と当該嵌込穴１２に嵌込まれているポリプロピレン製の凹状受具８１とよりなる。凹状受具８１は嵌込穴１２と接着されて一体となっている。凹状受具８１は中空で上面で開口されており、その上縁に上記張出部７１１と同じ働きをする張出部８１１を有する。
凹状受具８１には各内壁８１４に添って押圧板８１２、８１２、８１２、８１２が均等に配設され、開口部に行く程広がるクリアランス８１５を有している。そして、押圧板８１２、８１２、８１２、８１２は中心に向かって傾斜し、すぼまるような形状となっている。各押圧板８１２は下部で凹状受具８１の底部周縁と一体となっている。
なお、上記押圧板８１２、８１２、８１２、８１２の上端の内側には、火袋吊り具取付突部７が挿入しやすいように傾斜部８１３が設けられている。
【００２６】
図７は基台と支持脚の取付構造を示す斜視図である。
支持脚３、３の上面には基台１に取付けるための支持脚取付突部７、７が設けられている。基台１の下面には支持脚３、３に取付けるための支持脚取付穴部８、８が設けられている。
上記支持脚取付突部７、７と上記支持脚取付穴部８、８との形状、構造等は図２、図３、図４、図５、図６等で示す火袋吊り具２、２を基台１に取付けるための支持脚取付突部７、７、及び基台１を火袋吊り具２、２に取付けるための支持脚取付穴部８、８等と全く同じであるため説明を省略する。
【００２７】
（作用）
図８は、凸状挿入具が被せられた火袋吊り具取付突部を、凹状受部が嵌合された火袋吊り具取付穴部に挿入した状態を示す断面図である。
図８を参照して本実施の形態の作用を説明する。
火袋吊り具取付突部７と火袋吊り具取付穴部８の表面は共にポリプロピレンで形成されている。上記ポリプロピレンは摩擦係数が小さく、しかも上火袋吊り具取付穴部８の表面を構成している押圧板８１２、８１２、８１２、８１２はバネ作用を有している。
そのため、上記取付穴部８と取付突部７との表面が互いに接触したとき、両者の表面間は滑り易く、そして上記押圧板８１２、８１２、８１２、８１２が取付突部７を押圧しつつ抱持する。
従って、基台１への火袋吊り具２の取付けや取外しを容易にすることができ、そして取付時や取外時に取付突部７等の破損を防止することができる。
更に、基台１への火袋吊り具２の取付け後、その取付けを緊密な状態に維持することができる。
【００２８】
凹状受具８１を構成している押圧板８１２、８１２、８１２、８１２は、開口部に行く程広がるクリアランス８１５を有し、そして、中心に向かって傾斜し、すぼまるような形状となっている。
そして、基台１への火袋吊り具２の取付時や取外時に凹状受具８１の内面と取付突部７の外面とが点接触又は線接触を行う。
従って、凹状受具８１の内面と取付突部７の外面の取付時や取外時の負担が小さく、基台１への火袋吊り具２の取付けや取外しを更に容易にすることができ、そして取付時や取外時に取付部、例えば取付突部７等の破損を更に確実に防止することができる。
又、当該取付突部７や取付穴部８が湿度や温度等の変化によりしそれぞれの寸法が変化しても、上記クリアランス８１５が上記寸法の変化に順応でき、取付突部７の破損のを十分に防止することができる。
又、取付突部７に凸状挿入具７１が被せられているので、前記破損を更に確実に防止することができる。
【００２９】
尚、図７に示すような基台１と支持脚３との取付構造においても、上記と全く同じ作用が奏せられる。
【００３０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能である。
【００３１】
【発明の効果】
本発明は上記構成を備え、次の効果を有する。
（ａ）本発明に係る提灯は、基台の上面側には火袋吊り具取付穴部が、また下面側には支持脚取付穴部がそれぞれ設けられており、火袋吊り具と支持脚との取付側には、火袋吊り具取付突部と支持脚取付突部とが設けられいる。
そして、上記取付穴部のうち、少なくとも、支持脚取付穴部は、摩擦係数が小さく同時にバネ作用も有する高分子製押圧片を備えた凹状受具が嵌め込まれているので、上記取付穴部の内面と取付突部の外面とが滑り易くそして上記取付後凹状受具の内面が取付突部の外面を押圧しつつ抱持することができる。
従って、上記特開平８−８３５０４号公報記載の発明における、滑りにくい弾性挿入部材を使用することによる当該弾性挿入部材の基台の嵌合穴への取付けや取外しの困難性に比べ、また、特開平８−２１２８０８号公報記載の発明における、基台の取付孔に弾性挿入部材を挿入するときの挟持固定部材の回動操作等の困難性（特に年配者）に比べ、本発明の場合は、基台への支持脚及び／又は火袋吊り具の取付けや取外しを容易にすることができ、その上、取付時や取外時に取付部、例えば取付突部等の破損を防止することができる。
更に、基台への支持脚及び／又は火袋吊り具の取付け後、その取付けを緊密な状態に維持することができる。
【００３２】
（ｂ）上記火袋吊り具取付突部及び／又は支持脚取付突部が摩擦係数が小さい高分子製凸状挿入具が被せられているものは、取付穴部の内面と取付突部の外面とが更に滑り易くなり、基台への支持脚及び／又は火袋吊り具の取付けや取外しを更に容易にすることができそして取付時や取外時に取付部、例えば取付突部等の破損を更に確実に防止することができる。
【００３３】
（ｃ）上記凹状受具が、高分子製押圧片が内壁に対してクリアランスを有し、開口部側がバネ作用をもってすぼまるように形成されているものは、基台への支持脚及び／又は火袋吊り具の取付時や取外時に凹状受具の内面と取付突部の外面とが点接触又は線接触を行う。
従って、凹状受具の内面と取付突部の外面の取付時や取外時の負担が小さく、基台への支持脚及び／又は火袋吊り具の取付けや取外しを更に容易にすることができ、そして取付時や取外時に取付部、例えば取付突部等の破損を更に確実に防止することができる。
又、当該取付突部や取付穴部が湿度や温度等の変化によりそれぞれの寸法が変化しても、上記クリアランスが上記寸法の変化に順応でき、取付突部等の破損を十分に防止することができる。又、取付突部に凸状挿入具が被せられていれば前記破損は更に確実に防止することができる。
【図面の簡単な説明】
【図１】本発明に係る提灯の斜視図。
【図２】基台と火袋吊り具との取付構造を示す斜視図。
【図３】凸状挿入具の斜視図。
【図４】凹状受部の斜視図。
【図５】凹状受部の平面図。
【図６】図５のＡ−Ａ線断面図。
【図７】基台と支持脚の取付構造を示す斜視図。
【図８】凸状挿入具が被せられた火袋吊り具取付突部を凹状受部が嵌合された火袋取付穴部に挿入した状態を示す断面図。
【符号の説明】
Ｌ          提灯
１          基台
１１        フランジ
１２        嵌込穴
２          火袋吊り具
２１        雲手
２２        掛け具
２３        押え具
２４        取付突部
３          支持脚
４          電球
５          火袋
５１        吊り紐
５２        上部外輪
５３        下部外輪
６          補強部材
７          火袋吊り具取付突部又は支持脚取付突部
７１        凸状挿入具
７１１      張出片
８          火袋吊り具取付穴部又は支持脚取付穴部
８１        凹状受具
８１１      張出片
８１２      押圧片
８１３      傾斜部
８１４      内壁
８１５      クリアランス
【図１】
0004024369.tif 000002
【図２】
0004024369.tif 000003
【図３】
0004024369.tif 000004
【図４】
0004024369.tif 000005
【図５】
0004024369.tif 000006
【図６】
0004024369.tif 000007
【図７】
0004024369.tif 000008
【図８】
0004024369.tif 000009